(57)【要約】【課題】  指先に乗せてバランスをとりながら回転させることによって楽しく遊び、また、テクニックを競う玩具を提供する。【解決手段】  落としても壊れにくい、ぶつけても他のものを傷つけにくい素材、弾力性、又は、ある程度の強度を有する素材、例えば、合成ゴム、シリコン合成樹脂、熱可塑性樹脂、紙、ビニル樹脂、木等からなり、又、それらを複合的に組み合わせるなどして、指先で支えることのできる重さで、板状に形成された回転盤１の上面と下面の少なくともどちらか１面の重心部分にすべり部２を設ける。さらに、必要に応じて、重心部分の周囲、あるいは、すべり部２の周囲に滑り止め部１ｂを設けることを特徴とする回転玩具を提供することによって解決する。【選択図】  図１
2005312988.tif 000002
【特許請求の範囲】
【請求項１】
指先でバランスをとりながら回転させる玩具において、板状に形成された回転盤の上面と下面の少なくともどちらか１面の重心部分にすべり部を設けたことを特徴とする回転玩具。
【請求項２】
すべり部の周囲に滑り止め部を設けたことを特徴とする請求項１記載の回転玩具。
【請求項３】
指先でバランスをとりながら回転させる玩具において、板状に形成された回転盤の上面と下面の少なくともどちらか１面の重心部分の周囲に滑り止め部を設けたことを特徴とする回転玩具。
【請求項４】
回転盤を形成する素材は、合成ゴムであることを特徴とする請求項１から３のいずれか1項記載の回転玩具。
【請求項５】
回転盤を形成する素材は、シリコン合成樹脂であることを特徴とする請求項１から３のいずれか1項記載の回転玩具。
【請求項６】
回転盤を形成する素材は、熱可塑性樹脂であることを特徴とする請求項１から３のいずれか1項記載の回転玩具。
【請求項７】
回転盤を形成する素材は、紙であることを特徴とする請求項１から３のいずれか1項記載の回転玩具。
【請求項８】
回転盤を形成する素材は、ビニル樹脂であることを特徴とする請求項１から３のいずれか1項記載の回転玩具。
【請求項９】
回転盤を形成する素材は、木であることを特徴とする請求項１から３のいずれか1項記載の回転玩具。
【請求項１０】
回転盤を形成する素材は、請求項４から９に記載された素材のいずれか2つ以上を複合して構成したことを特徴とする請求項１から３のいずれか1項記載の回転玩具。
【発明の詳細な説明】
【技術分野】
【０００１】
本発明は指先に乗せて回転させることによって楽しく遊ぶこと及び、妙技を競うことを目的とする回転玩具に関するものである。
【背景技術】
【０００２】
従来は、本やノート、下敷き、座布団、お盆等を指先に乗せて回転させる遊びがあったが専用の道具、玩具はなかった。そのため、本を落として破いたり、角をぶつけてつぶしたり、他のものにぶつけて壊したりして不都合があった。
【発明の開示】
【発明が解決しようとする課題】
【０００３】
本発明は、上記した点を考慮したもので、回転させる際に落としたり、ぶつけたりしても壊れにくく、他のものを傷つけにくくし、楽しく遊び又、テクニックや妙技を競うことのできる回転玩具を提供することを目的としている。
【課題を解決するための手段】
【０００４】
落としても壊れにくい、ぶつけても他のものを傷つけにくい素材、弾力性又はある程度の強度を有する素材、例えば、合成ゴム、シリコン合成樹脂、熱可塑性樹脂、紙、ビニル樹脂、木等からなり、又、それらを複合的に組み合わせるなどして、指先で支えることのできる重さで板状に形成された回転盤１の上面と下面の少なくともどちらか１面の重心部分にすべり部２を設ける。
回転盤１は、安定して回転させられる形状として、平板からなる円形状、多角形状が望ましく、ある程度の重さと大きさを有するほうが回転させやすい。一般的なサイズとして、直径30センチ前後、重さ300グラム前後が理想的といえる。しかし、テクニックを競う場合には、それ以上に大きいものや、それ以上に小さいもの、様々な図形、厚みのあるもの、図形を組み合わせた形状も考えられる。人の好みにもよるため上記以外の形状も排除しない。
さらに、安定して回転させるために回転盤１の周縁部分を厚く形成し、周囲の重量を増やし、バランスを取りやすく形成することも考えられる。
【０００５】
合成ゴム、シリコン合成樹脂、熱可塑性樹脂、ビニル樹脂等の弾力性を有する素材は摩擦が大きいため、そのまま指先で回転させると摩擦で火傷したり、指の皮が剥けたりする。また、紙や木を素材とした場合には磨り減ることも考えられる。そのためにすべり部を設けるのである。
指先のコンディションや個人の好みもあるが、すべり部は、滑りすぎると回転が安定せず、指先から落下することになり、逆に摩擦がありすぎると回転が停止したり、指先に負担をかけたりするため、適度のすべりを有する素材にて構成する。本発明において、すべり部とは、滑りすぎず、摩擦が大きすぎない適度の摩擦を生じさせる何らかの加工がなされている部分である。すべり部は、指先と適度の摩擦を生む素材、例えばプラスチック板や加工紙、布、革、金属板等を設けるか、何らかの加工、例えば、皺（しぼ）、細かな凹凸、ワックス、フッ素樹脂等を施して設ける。また、回転盤１に加工、例えば、皺（しぼ）、細かな凹凸、ワックス、フッ素樹脂等を施すことも考えられる。すべり部に関して他にも様々な手段が考えられるため、上記以外の手段も排除しない。
【０００６】
さらに、すべり部２を構成する部材に嵌合取付手段を設けて回転盤１にはめ込むことも考えられる。
また、回転に勢いをつけやすいようにすべり部２の周囲に凹凸、軟質ゴム層等による滑り止め部１bを設けることも考えられる。滑り止め部は、すべりを抑える何らかの加工を施すものであり、他にも様々な手段が考えられるため、上記以外の手段も排除しない。
回転盤１を、それ自体に適度の摩擦を有する素材にて形成した場合にはすべり部は必要なくなるが、滑り止め部の役割はより重要となるのである。
【発明の効果】
【０００７】
本発明である回転玩具は、上記のように構成したので、回転玩具を指先に乗せ、最初は勢いをつけて回転させ、その後は指先を小さく回転させることによって継続して回転させることができる。未経験者の場合、通常であれば、大人で1週間程度、子供であれば４日程度で継続的に回転させることができる。
本発明である回転玩具を楽しむには、ある程度の技術が必要であり、他人と継続時間を競うことや妙技を競うこともできるのである。
【発明を実施するための最良の形態】
【０００８】
落としても壊れにくい、ぶつけても他のものを傷つけにくい素材、弾力性又はある程度の強度を有する素材、例えば、合成ゴム、シリコン合成樹脂、熱可塑性樹脂、紙、ビニル樹脂、木等からなり、又、それらを複合的に組み合わせるなどして、指先で支えることのできる重さで板状に形成された回転盤１の上面と下面の少なくともどちらか１面の重心部分にすべり部２を設ける。また、すべり部２の周囲には、凸形状又は凹形状、軟質ゴム層等の滑り止め加工を施す滑り止め部１bを設け、回転させるとき、手にひっかかりやすくすることが考えられる。
表面にイラストや模様を施すことによって、回転させたとき鮮やかに見える。
【実施例１】
【０００９】
図１、図2、図３で示す実施例１は、回転盤１を円形に形成し、その周縁に縁１aを設け、下面の重心部分にすべり部2を設け、その周囲に凸形状を複数設けて滑り止め部1bとして構成した実施例である。
【実施例２】
【００１０】
図４で示す実施例２は、回転盤1を12角形に形成し、その周縁に縁1aを設け、下面の重心部分にすべり部2を設け、すべり部2の周囲に丸い凸形状を複数設けて滑り止め部1bとして構成した実施例である。
【実施例３】
【００１１】
図５で示す実施例３は、回転盤1を曲面に形成し、下面の重心部分にすべり部2を設け、その周囲に軟質ゴム層による滑り止め部1bを設けた実施例である。
【実施例４】
【００１２】
図６で示す実施例４は、回転盤1をドーナツ状に形成し、すべり部2と凸形状を複数設けた滑り止め部1bを一体形成して溝を設け、回転盤１をはめ込むための嵌合取付手段を構成した実施例である。
【実施例５】
【００１３】
図７で示す実施例５は、それ自体に適度の摩擦のある素材によって形成した回転盤1の下面の重心部分の周囲に凸形状を複数施した滑り止め部1bを設けた実施例である。
【実施例６】
【００１４】
図８で示す実施例６は、図形を組み合わせた形状の回転盤1の下面に、すべり部2を設け、その周囲に凸形状を複数施した滑り止め部1bを設けた実施例である。
【実施例７】
【００１５】
図９、図１０で示す実施例７は、プラスチックによって形成した回転盤1の周縁に、ゴムによって形成した縁１aをはめ込み、回転盤１の下面の重心部分にすべり部2を設け、その周囲に凸形状を複数施した滑り止め部1bを設けた実施例である。
【図面の簡単な説明】
【００１６】
【図１】本発明である回転玩具の実施例１の下面図である。
【図２】本発明である回転玩具の実施例１の上面図である。
【図３】本発明である回転玩具の実施例１の断面図である。
【図４】本発明である回転玩具の実施例２の下面図である。
【図５】本発明である回転玩具の実施例３の断面図である。
【図６】本発明である回転玩具の実施例４の斜視図である。
【図７】本発明である回転玩具の実施例５の下面図である。
【図８】本発明である回転玩具の実施例６の下面図である。
【図９】本発明である回転玩具の実施例７の下面図である。
【図１０】本発明である回転玩具の実施例７の断面図である。
【符号の説明】
【００１７】
１      回転盤
１ａ    縁
１ｂ    滑り止め部
２      すべり部
【図１】
2005312988.tif 000003
【図２】
2005312988.tif 000004
【図３】
2005312988.tif 000005
【図４】
2005312988.tif 000006
【図５】
2005312988.tif 000007
【図６】
2005312988.tif 000008
【図７】
2005312988.tif 000009
【図８】
2005312988.tif 000010
【図９】
2005312988.tif 000011
【図１０】
2005312988.tif 000012
【手続補正書】
【提出日】平成17年7月6日(2005.7.6)
【手続補正２】
【補正対象書類名】図面
【補正対象項目名】図３
【補正方法】変更
【補正の内容】
【図３】
2005312988.tif 000013
【手続補正３】
【補正対象書類名】図面
【補正対象項目名】図５
【補正方法】変更
【補正の内容】
【図５】
2005312988.tif 000014
【手続補正４】
【補正対象書類名】図面
【補正対象項目名】図６
【補正方法】変更
【補正の内容】
【図６】
2005312988.tif 000015
【手続補正５】
【補正対象書類名】図面
【補正対象項目名】図１０
【補正方法】変更
【補正の内容】
【図１０】
2005312988.tif 000016